(57)【要約】【課題】利用者の負担を軽減するとともに、正確に着信制御を行うことを課題とする。【解決手段】携帯電話（Ａ）には電話番号と識別番号が割り当てられている。そして、携帯電話（Ｘ）は、識別番号登録要求を管理装置に送信し、管理装置は、携帯電話（Ｘ）に対して識別番号（ａＸｅ）を生成する。続いて、管理装置は、記憶する電話番号と識別番号とを携帯電話（Ｘ）に通知し、携帯電話（Ｘ）の電話番号と識別番号とを携帯電話（Ａ）に通知する。その後、携帯電話（Ｘ）から携帯電話（Ａ）に通話接続要求を送信する場合、携帯電話（Ｘ）は、通話接続要求に識別番号（ａＸｅ）を付して携帯電話（Ａ）に送信する。携帯電話（Ａ）は、受信した通話接続要求から携帯電話（Ｘ）の電話番号と識別番号を取得し、これらを電話情報ＤＢに記憶している場合、携帯電話（Ｘ）との接続を許可する。一方、記憶していない場合、携帯電話（Ｘ）との接続を拒否する。【選択図】        図１
2008141419.tif 000002
【特許請求の範囲】
【請求項１】
複数の電話機と前記複数の電話機それぞれに接続される管理装置とから構成される通信システムであって、
前記管理装置は、
前記複数の電話機それぞれに一意に割り振られた電話番号に対応付けて、前記電話番号に一意に割り振られた識別番号を記憶する識別情報記憶手段と、
前記電話機から前記識別番号の生成を要求する識別番号登録要求を受信した場合に、当該要求を送信した電話機の電話番号に対して前記識別番号を生成して、前記電話番号に対応付けて前記識別情報記憶手段に格納するとともに、当該要求を送信した電話機に前記識別番号を通知する識別番号生成手段と、
前記識別番号生成手段により新たに識別番号が前記識別情報記憶手段に格納された場合に、前記新たに格納された電話番号と識別番号とを、前記識別情報記憶手段に記憶される電話機に通知する識別番号通知手段とを備え、
前記電話機は、
前記識別番号通知手段により通知された前記電話番号と前記識別番号とを対応付けて記憶する電話情報記憶手段と、
前記管理装置に前記識別番号登録要求を送信して、前記管理装置から生成された前記識別番号を受信し、受信した識別番号を記憶する識別番号記憶手段と、
前記電話情報記憶手段に記憶される他の電話機に対して通話接続要求を送信する場合に、前記識別番号記憶手段に記憶される前記識別番号を前記通話接続要求に付して送信する通話接続要求送信手段と、
前記他の電話機から前記通話接続要求を受信すると、前記通話接続要求から前記他の電話機に割り当てられた電話番号と識別番号を取得し、前記電話番号と識別番号の組み合わせが、前記電話情報記憶手段に記憶されているか否かを判定し、記憶されていると判定された場合に、前記通話接続要求を許可し、記憶されていないと判定された場合に、前記通話接続要求を拒否するように前記他の電話機との接続を制御する接続制御手段と、
を備えたことを特徴とする通信システム。
【請求項２】
前記識別情報記憶手段は、前記電話機の所有者を特定するために一意に割り当てられた個人ＩＤに対応付けて前記電話番号と前記識別番号とを記憶し、
前記識別番号生成手段は、前記電話機から前記識別番号登録要求と前記識別番号を通知する先を示す前記個人ＩＤとを受信した場合に、当該要求を送信した電話機の電話番号に対して前記識別番号と当該電話機の所有者を特定するための個人ＩＤとを生成して、当該個人ＩＤに対応付けて前記電話番号と前記識別番号とを前記識別情報記憶手段に格納するとともに、当該要求を送信した電話機に前記識別番号を通知し、
前記識別番号通知手段は、前記識別情報記憶手段に新たに記憶された電話番号と識別番号とを、受信した前記通知先を示す個人ＩＤに対応する電話機に対して通知し、
前記識別番号記憶手段は、前記識別番号登録要求とともに、前記通知先を示す個人ＩＤを送信することを特徴とする請求項１に記載の通信システム。
【請求項３】
前記識別情報記憶手段は、あらかじめ定めたグループＩＤに対応付けて前記電話番号と前記識別番号とを記憶し、
前記識別番号生成手段は、前記電話機から前記識別番号登録要求と属するグループを希望するグループＩＤとを受信した場合に、当該要求を送信した電話機の電話番号に対して前記識別番号を生成して、前記グループＩＤに対応付けて前記電話番号と前記識別番号とを前記識別情報記憶手段に格納するとともに、当該要求を送信した電話機に前記識別番号を通知し、
前記識別番号通知手段は、前記受信したグループＩＤに属する電話機に対して、前記新たに格納された電話番号と識別番号とを通知し、
前記識別番号記憶手段は、前記識別番号登録要求とともに、前記グループＩＤを送信することを特徴とする請求項１に記載の通信システム。
【請求項４】
前記識別番号生成手段は、前記識別番号登録要求を受信した場合に、前記識別番号登録要求を送信した電話機が正当な利用者であることを条件に、当該要求を送信した電話機の電話番号に対して前記識別番号を生成して、前記電話番号に対応付けて前記識別情報記憶手段に格納するとともに、当該要求を送信した電話機に前記識別番号を通知することを特徴とする請求項１〜３のいずれか一つに記載の通信システム。
【請求項５】
複数の電話機と前記複数の電話機それぞれに接続される管理装置とから構成される通信システムにおける前記管理装置であって、
前記複数の電話機それぞれに一意に割り振られた電話番号に対応付けて、前記電話番号に一意に割り振られた識別番号を記憶する識別情報記憶手段と、
前記電話機から前記識別番号の生成を要求する識別番号登録要求を受信した場合に、当該要求を送信した電話機の電話番号に対して前記識別番号を生成して、前記電話番号に対応付けて前記識別情報記憶手段に格納するとともに、当該要求を送信した電話機に前記識別番号を通知する識別番号生成手段と、
前記識別番号生成手段により新たに識別番号が前記識別情報記憶手段に格納された場合に、前記新たに格納された電話番号と識別番号とを、前記識別情報記憶手段に記憶される電話機に通知する識別番号通知手段と、
を備えたことを特徴とする管理装置。
【請求項６】
複数の電話装置と前記複数の電話装置それぞれに接続される管理装置とから構成される通信システムにおける前記電話装置であって、
前記識別番号通知手段により通知された前記電話番号と前記識別番号とを対応付けて記憶する電話情報記憶手段と、
前記管理装置に前記識別番号登録要求を送信して、前記管理装置から生成された前記識別番号を受信し、受信した識別番号を記憶する識別番号記憶手段と、
前記電話情報記憶手段に記憶される他の電話機に対して通話接続要求を送信する場合に、前記識別番号記憶手段に記憶される前記識別番号を前記通話接続要求に付して送信する通話接続要求送信手段と、
前記他の電話機から前記通話接続要求を受信すると、前記通話接続要求から前記他の電話機に割り当てられた電話番号と識別番号を取得し、前記電話番号と識別番号の組み合わせが、前記電話情報記憶手段に記憶されているか否かを判定し、記憶されていると判定された場合に、前記通話接続要求を許可し、記憶されていないと判定された場合に、前記通話接続要求を拒否するように前記他の電話機との接続を制御する接続制御手段と、
を備えたことを特徴とする電話装置。
【発明の詳細な説明】
【技術分野】
【０００１】
この発明は、複数の電話機と複数の電話機それぞれに接続される管理装置とから構成される通信システム、管理装置および電話装置に関する。
【背景技術】
【０００２】
従来より、携帯電話に代表される移動体通信装置が一般的に普及するに連れて、ワン切りや勧誘電話などの悪質な電話が非常に増加している。そして、企業などでは、このような悪質電話による業務の阻害、また、一般的には、詐欺、恐喝などの犯罪といった社会的な様々な問題が発生している。そこで、このような悪質電話から自身を防護する様々な技術が開示されている。
【０００３】
例えば、一般的には、着信を拒否する電話番号を着信拒否リスト（ブラックリスト）として登録しておき、当該電話番号から着信があった場合、また、発信先の電話番号が通知されない非通知電話があった場合、当該着信を拒否し、それ以外の着信（自身の携帯電話の電話帳に登録されている電話番号からの着信など）があった場合にのみ、当該着信を許可するといった着信拒否技術が開示されている。
【０００４】
また、特許文献１（特開２０００−１５１８００号公報）では、電話番号にキーワードを付与して発信し、キーワードが一致した場合にのみ着信を許可する技術が開示されている。具体的には、発信者側装置と着信者側装置とで共通のキーワードを登録しておき、発信者側装置は、着信者側装置の電話番号とキーワードを着信者側装置に送信する。そして、着信者側装置は、受信したキーワードが一致すると、当該着信を許可する。
【０００５】
【特許文献１】特開２０００−１５１８００号公報
【発明の開示】
【発明が解決しようとする課題】
【０００６】
ところで、上記した一般的な従来の技術では、着信を拒否したい電話番号が発生するたびに当該電話番号を手動で着信拒否リストに登録する必要があるので、利用者の負担が非常に大きく、また、着信拒否リストに登録し忘れた場合、正確に着信拒否することができない結果、正確な着信制御ができないという課題があった。
【０００７】
また、上記した従来技術の特許文献１では、発信者ごとにキーワードを変えてもよく、また、同じでもよいが、セキュリティ上、発信者ごとにキーワードを変えておくことが一般的であり、その場合、膨大な数のキーワードを記憶する必要があるので、利用者の負担が非常に大きいという課題があった。
【０００８】
そこで、この発明は、上述した従来技術の課題を解決するためになされたものであり、利用者の負担を軽減するとともに、正確に着信制御を行うことが可能である通信システム、管理装置および電話装置を提供することを目的とする。
【課題を解決するための手段】
【０００９】
上述した課題を解決し、目的を達成するため、請求項１に係る発明は、複数の電話機と前記複数の電話機それぞれに接続される管理装置とから構成される通信システムであって、前記管理装置は、前記複数の電話機それぞれに一意に割り振られた電話番号に対応付けて、前記電話番号に一意に割り振られた識別番号を記憶する識別情報記憶手段と、前記電話機から前記識別番号の生成を要求する識別番号登録要求を受信した場合に、当該要求を送信した電話機の電話番号に対して前記識別番号を生成して、前記電話番号に対応付けて前記識別情報記憶手段に格納するとともに、当該要求を送信した電話機に前記識別番号を通知する識別番号生成手段と、前記識別番号生成手段により新たに識別番号が前記識別情報記憶手段に格納された場合に、前記新たに格納された電話番号と識別番号とを、前記識別情報記憶手段に記憶される電話機に通知する識別番号通知手段と、前記電話機は、前記識別番号通知手段により通知された前記電話番号と前記識別番号とを対応付けて記憶する電話情報記憶手段と、前記管理装置に前記識別番号登録要求を送信して、前記管理装置から生成された前記識別番号を受信し、受信した識別番号を記憶する識別番号記憶手段と、前記電話情報記憶手段に記憶される他の電話機に対して通話接続要求を送信する場合に、前記識別番号記憶手段に記憶される前記識別番号を前記通話接続要求に付して送信する通話接続要求送信手段と、前記他の電話機から前記通話接続要求を受信すると、前記通話接続要求から前記他の電話機に割り当てられた電話番号と識別番号を取得し、前記電話番号と識別番号の組み合わせが、前記電話情報記憶手段に記憶されているか否かを判定し、記憶されていると判定された場合に、前記通話接続要求を許可し、記憶されていないと判定された場合に、前記通話接続要求を拒否するように前記他の電話機との接続を制御する接続制御手段と、を備えたことを特徴とする。
【００１０】
また、請求項２に係る発明は、上記の発明において、前記識別情報記憶手段は、前記電話機の所有者を特定するために一意に割り当てられた個人ＩＤに対応付けて前記電話番号と前記識別番号とを記憶し、前記識別番号生成手段は、前記電話機から前記識別番号登録要求と前記識別番号を通知する先を示す前記個人ＩＤとを受信した場合に、当該要求を送信した電話機の電話番号に対して前記識別番号と当該電話機の所有者を特定するための個人ＩＤとを生成して、当該個人ＩＤに対応付けて前記電話番号と前記識別番号とを前記識別情報記憶手段に格納するとともに、当該要求を送信した電話機に前記識別番号を通知し、前記識別番号通知手段は、前記識別情報記憶手段に新たに記憶された電話番号と識別番号とを、受信した前記通知先を示す個人ＩＤに対応する電話機に対して通知し、前記識別番号記憶手段は、前記識別番号登録要求とともに、前記通知先を示す個人ＩＤを送信することを特徴とする。
【００１１】
また、請求項３に係る発明は、上記の発明において、前記識別情報記憶手段は、あらかじめ定めたグループＩＤに対応付けて前記電話番号と前記識別番号とを記憶し、前記識別番号生成手段は、前記電話機から前記識別番号登録要求と属するグループを希望するグループＩＤとを受信した場合に、当該要求を送信した電話機の電話番号に対して前記識別番号を生成して、前記グループＩＤに対応付けて前記電話番号と前記識別番号とを前記識別情報記憶手段に格納するとともに、当該要求を送信した電話機に前記識別番号を通知し、前記識別番号通知手段は、前記受信したグループＩＤに属する電話機に対して、前記新たに格納された電話番号と識別番号とを通知し、前記識別番号記憶手段は、前記識別番号登録要求とともに、前記グループＩＤを送信することを特徴とする。
【００１２】
また、請求項４に係る発明は、上記の発明において、前記識別番号生成手段は、前記識別番号登録要求を受信した場合に、前記識別番号登録要求を送信した電話機が正当な利用者であることを条件に、当該要求を送信した電話機の電話番号に対して前記識別番号を生成して、前記電話番号に対応付けて前記識別情報記憶手段に格納するとともに、当該要求を送信した電話機に前記識別番号を通知することを特徴とする。
【００１３】
また、請求項５に係る発明は、複数の電話機と前記複数の電話機それぞれに接続される管理装置とから構成される通信システムにおける前記管理装置であって、前記複数の電話機それぞれに一意に割り振られた電話番号に対応付けて、前記電話番号に一意に割り振られた識別番号を記憶する識別情報記憶手段と、前記電話機から前記識別番号の生成を要求する識別番号登録要求を受信した場合に、当該要求を送信した電話機の電話番号に対して前記識別番号を生成して、前記電話番号に対応付けて前記識別情報記憶手段に格納するとともに、当該要求を送信した電話機に前記識別番号を通知する識別番号生成手段と、前記識別番号生成手段により新たに識別番号が前記識別情報記憶手段に格納された場合に、前記新たに格納された電話番号と識別番号とを、前記識別情報記憶手段に記憶される電話機に通知する識別番号通知手段と、を備えたことを特徴とする。
【００１４】
また、請求項６に係る発明は、複数の電話装置と前記複数の電話装置それぞれに接続される管理装置とから構成される通信システムにおける前記電話装置であって、前記識別番号通知手段により通知された前記電話番号と前記識別番号とを対応付けて記憶する電話情報記憶手段と、前記管理装置に前記識別番号登録要求を送信して、前記管理装置から生成された前記識別番号を受信し、受信した識別番号を記憶する識別番号記憶手段と、前記電話情報記憶手段に記憶される他の電話機に対して通話接続要求を送信する場合に、前記識別番号記憶手段に記憶される前記識別番号を前記通話接続要求に付して送信する通話接続要求送信手段と、前記他の電話機から前記通話接続要求を受信すると、前記通話接続要求から前記他の電話機に割り当てられた電話番号と識別番号を取得し、前記電話番号と識別番号の組み合わせが、前記電話情報記憶手段に記憶されているか否かを判定し、記憶されていると判定された場合に、前記通話接続要求を許可し、記憶されていないと判定された場合に、前記通話接続要求を拒否するように前記他の電話機との接続を制御する接続制御手段と、を備えたことを特徴とする。
【発明の効果】
【００１５】
請求項１、５、６の発明によれば、管理装置は、複数の電話機それぞれに一意に割り振られた電話番号に対応付けて、電話番号に一意に割り振られた識別番号を記憶し、電話機から識別番号の生成を要求する識別番号登録要求を受信した場合に、当該要求を送信した電話機の電話番号に対して識別番号を生成して、電話番号に対応付けて格納するとともに、当該要求を送信した電話機に識別番号を通知し、新たに識別番号が格納された場合に、新たに格納された電話番号と識別番号とを、記憶される電話機に通知し、電話機は、通知された電話番号と識別番号とを対応付けて記憶し、管理装置に識別番号登録要求を送信して、管理装置から生成された識別番号を受信し、受信した識別番号を記憶し、記憶される他の電話機に対して通話接続要求を送信する場合に、記憶される識別番号を通話接続要求に付して送信し、他の電話機から通話接続要求を受信すると、通話接続要求から他の電話機に割り当てられた電話番号と識別番号を取得し、電話番号と識別番号の組み合わせが、記憶されているか否かを判定し、記憶されていると判定された場合に、通話接続要求を許可し、記憶されていないと判定された場合に、通話接続要求を拒否するように他の電話機との接続を制御するので、利用者の負担を軽減するとともに、正確に着信制御を行うことが可能である。
【００１６】
また、請求項２の発明によれば、電話機の所有者を特定するために一意に割り当てられた個人ＩＤに対応付けて電話番号と識別番号とを記憶し、電話機から識別番号登録要求と識別番号を通知する先を示す個人ＩＤとを受信した場合に、当該要求を送信した電話機の電話番号に対して識別番号と当該電話機の所有者を特定するための個人ＩＤとを生成して、当該個人ＩＤに対応付けて電話番号と識別番号とを格納するとともに、当該要求を送信した電話機に識別番号を通知し、新たに記憶された電話番号と識別番号とを、受信した通知先を示す個人ＩＤに対応する電話機に対して通知し、識別番号登録要求とともに、通知先を示す個人ＩＤを送信するので、個人に対応付けた細かな着信制御を行うことが可能である。
【００１７】
また、請求項３の発明によれば、あらかじめ定めたグループＩＤに対応付けて電話番号と識別番号とを記憶し、電話機から識別番号登録要求と属するグループを希望するグループＩＤとを受信した場合に、当該要求を送信した電話機の電話番号に対して識別番号を生成して、グループＩＤに対応付けて電話番号と識別番号とを格納するとともに、当該要求を送信した電話機に識別番号を通知し、受信したグループＩＤに属する電話機に対して、新たに格納された電話番号と識別番号とを通知し、識別番号登録要求とともに、グループＩＤを送信するので、グループに対応付けた細かな着信制御を行うことが可能である。
【００１８】
また、請求項４の発明によれば、識別番号登録要求を受信した場合に、識別番号登録要求を送信した電話機が正当な利用者であることを条件に、当該要求を送信した電話機の電話番号に対して識別番号を生成して、電話番号に対応付けて格納するとともに、当該要求を送信した電話機に識別番号を通知するので、正確かつセキュリティの高い着信制御を行うことが可能である。
【発明を実施するための最良の形態】
【００１９】
以下に添付図面を参照して、この発明に係る通信システムの実施例を詳細に説明する。なお、以下では、実施例１で用いる主要な用語（用語の説明）、実施例１に係る通信システムの概要および特徴、通信システムの構成および処理の流れを順に説明し、最後に実施例１による効果を説明する。
【実施例１】
【００２０】
［用語の説明］
まず最初に、本実施例で用いる主要な用語を説明する。本実施例で用いる「通信システム（特許請求の範囲に記載の「通信システム」に対応する。）」とは、管理装置と複数の携帯電話（携帯電話（Ｘ）、携帯電話（Ａ）、携帯電話（Ｂ）、携帯電話（Ｃ））とが交換機や基地局を介してネットワークで接続されているシステムである。なお、ここでは、管理装置と４台の携帯電話が接続されている場合について説明するが、本発明はこれに限定されるものではなく、接続される携帯電話の台数に制限はない。また、携帯電話だけでなく、固定電話やＩＰ電話など電話機能を備えたあらゆる電話機を用いることができる。
【００２１】
また、本実施例で用いる「管理装置（特許請求の範囲に記載の「管理装置」に対応する。）」とは、パーソナルコンピュータやワークステーションなどのコンピュータ装置であり、インターネットなどのネットワークを介して複数の携帯電話と接続される。また、「携帯電話（特許請求の範囲に記載の「電話機」に対応する。）」とは、発信・着信など電話機能を備えた携帯電話やＰＨＳの如き移動体通信端末であり、ＰＳＴＮ網（Ｐｕｂｌｉｃ  Ｓｗｉｔｃｈｅｄ  Ｔｅｌｅｐｈｏｎｅ  Ｎｅｔｗｏｒｋｓ）やＶｏＩＰ網（Ｖｏｉｃｅ  ｏｖｅｒ  Ｉｎｔｅｒｎｅｔ  Ｐｒｏｔｏｃｏｌ）に接続され、交換機や基地局を介して他の携帯電話などと通話接続される。
【００２２】
また、「携帯電話」は、ブラウザ機能やアプリケーション機能を備えており、インターネットなどを介してＷｅｂページなどを閲覧したり、他の携帯電話や管理装置と接続される。なお、ここで説明する「携帯電話」とは、電話機能を備えた携帯電話やＰＨＳの如き移動体通信端末に限らず、電話機能を備えたパーソナルコンピュータやワークステーション、家庭用ゲーム機、インターネットＴＶ、ＰＤＡなどのコンピュータ装置であってもよい。また、ここでは、携帯電話（Ｘ）が管理装置に対して、識別番号（ＩＤ）の生成を要求する識別番号登録要求を送信し、携帯電話（Ｘ）が携帯電話（Ａ）に対して通話接続要求を送信する場合について説明するが、本発明はこれに限定されるものではなく、識別番号が生成されていないいずれの携帯電話が管理装置に対して識別番号登録要求を送信してもよく、また、識別番号が生成されているいずれの携帯電話間で通話接続要求を送信してもよい。
【００２３】
［通信システムの概要および特徴］
次に、図１と図２を用いて、実施例１に係る通信システムの概要および特徴を説明する。図１と図２は、実施例１に係る通信システムの概要と特徴を説明するための図である。
【００２４】
図１に示したように、実施例１に係る通信システムは、管理装置と複数の携帯電話（携帯電話（Ｘ）、携帯電話（Ａ）、携帯電話（Ｂ）、携帯電話（Ｃ））とが交換機や基地局を介してネットワークで接続されている。そして、携帯電話（Ｘ）には、電話番号として「０９０−ＸＸＸ−ＸＸＸＸ」が割り当てられており、同様に、携帯電話Ａには「０９０−ＡＡＡ−ＡＡＡＡ」、携帯電話（Ｂ）には「０８０−ＢＢＢ−ＢＢＢＢ」、携帯電話（Ｃ）には「０７０−ＣＣＣ−ＣＣＣＣ」がそれぞれ割り当てられている。このような構成において、この通信システムは、複数の携帯電話と複数の携帯電話それぞれに接続される管理装置とから構成されることを概要とするものであり、特に、利用者の負担を軽減するとともに、正確に着信制御を行うことが可能である点に主たる特徴がある。
【００２５】
この主たる特徴について具体的に説明すると、通信システムの管理装置は、複数の携帯電話それぞれに一意に割り振られた電話番号に対応付けて、電話番号に一意に割り振られた識別番号を識別情報ＤＢに記憶する。具体的に例を挙げれば、識別情報ＤＢは、『電話機に割り当てられた「電話番号」、電話番号に一意に割り当てられた「識別番号」』として、「０９０−ＡＡＡ−ＡＡＡＡ、ａｂｃ」や「０８０−ＢＢＢ−ＢＢＢＢ、ａｃｄ」などと記憶する。
【００２６】
そして、管理装置は、識別情報ＤＢに記憶される携帯電話の電子メールアドレスなど携帯電話の通知先を通知先ＤＢに記憶する。具体的に例を挙げれば、通知先ＤＢは、「電話番号、メールアドレス」として「０９０−ＡＡＡ−ＡＡＡＡ、ＡＡＡ＠ｂｂｂ．ｎｅｔ」や「０８０−ＢＢＢ−ＢＢＢＢ、ＢＢＢ＠ｃｃｃ．ｃｏｍ」などと記憶する。なお、必ずしも電子メールアドレスである必要はなく、携帯電話に通知することができるあらゆる情報または手法を用いることができる。
【００２７】
そして、携帯電話（Ａ）、（Ｂ）は、管理装置により通知された電話番号と識別番号（ＩＤ）とを対応付けて電話情報ＤＢに記憶する。具体的に例を挙げれば、携帯電話（Ａ）、（Ｂ）のそれぞれの電話情報ＤＢは、『電話機に割り当てられた「電話番号」、電話番号に一意に割り当てられた「識別番号」』として、「０９０−ＡＡＡ−ＡＡＡＡ、ａｂｃ」や「０８０−ＢＢＢ−ＢＢＢＢ、ａｃｄ」などと記憶する。なお、ここでは、携帯電話（Ｘ）、携帯電話（Ｃ）については、これらの情報を記憶していない。
【００２８】
また、携帯電話（Ａ）、（Ｂ）は、管理装置に識別番号登録要求を送信して、管理装置から生成された識別番号（ＩＤ）を受信し、受信した識別番号（ＩＤ）を識別番号ＤＢに記憶する。具体的に例を挙げれば、携帯電話（Ａ）の識別番号ＤＢは、「識別番号」として「ａｂｃ」を記憶し、携帯電話（Ｂ）の識別番号ＤＢは、「ａｃｄ」と記憶する。なお、ここでは、携帯電話（Ｘ）、携帯電話（Ｃ）については、これらの情報を記憶していない。
【００２９】
このような状態において、管理装置は、携帯電話（Ｘ）から識別番号（ＩＤ）の生成を要求する識別番号登録要求を受信した場合に、当該要求を送信した携帯電話（Ｘ）の電話番号に対して識別番号（ＩＤ）を生成して、電話番号に対応付けて識別情報ＤＢに格納するとともに、当該要求を送信した携帯電話（Ｘ）に識別番号を通知する（図１の（１）〜（４）参照）。
【００３０】
上記した例で具体的に説明すると、携帯電話（Ｘ）は、利用者の指示操作により識別番号の生成を要求する識別番号登録要求として、要求する旨のメッセージと自装置の電話番号（０９０−ＸＸＸ−ＸＸＸＸ）とを管理装置に送信する。そして、管理装置は、当該要求を送信した携帯電話Ａの電話番号（０９０−ＸＸＸ−ＸＸＸＸ）に対して識別番号（ＩＤ）として「ａＸｅ」を生成して、電話番号（０９０−ＸＸＸ−ＸＸＸＸ）に対応付けて識別情報ＤＢに「０９０−ＸＸＸ−ＸＸＸＸ、ａＸｅ」と格納するとともに、当該要求を送信した携帯電話（Ｘ）に識別番号（ａＸｅ）を通知する。続いて、携帯電話（Ｘ）は、管理装置により生成されて通知されたＩＤ（ａＸｅ）を識別番号ＤＢに格納する。
【００３１】
そして、管理装置は、新たに識別番号が識別情報ＤＢに格納された場合に、新たに格納された電話番号と識別番号とを、識別情報ＤＢに記憶される電話機に通知する（図１の（６）参照）。上記した例で具体的に説明すると、管理装置は、識別情報ＤＢに記憶される携帯電話（Ａ）と携帯電話（Ｂ）のメールアドレスを通知先ＤＢより取得して、新たに格納した携帯電話（Ｘ）の電話番号「０９０−ＸＸＸ−ＸＸＸＸ」と識別番号（ＩＤ）「ａＸｅ」とを携帯電話（Ａ）と携帯電話（Ｂ）とに通知する。
【００３２】
その後、携帯電話（Ａ）は、管理装置により通知された電話番号と識別番号とを対応付けて電話情報ＤＢに記憶する（図１の（７）と（８）参照）。上記した例で具体的に説明すると、携帯電話（Ａ）は、管理装置により通知された識別情報ＤＢに記憶される情報である『「０９０−ＡＡＡ−ＡＡＡＡ、ａｂｃ」、「０８０−ＢＢＢ−ＢＢＢＢ、ａｃｄ」、「０９０−ＸＸＸ−ＸＸＸＸ、ａＸｅ」』を識別情報ＤＢに記憶する。
【００３３】
その後、図２に示すように、携帯電話（Ｘ）の電話番号が管理装置に登録され、携帯電話（Ｘ）の識別番号（ＩＤ）が生成されて、携帯電話（Ｘ）、（Ａ）、（Ｂ）のそれぞれの電話情報ＤＢが、『「０９０−ＡＡＡ−ＡＡＡＡ、ａｂｃ」、「０８０−ＢＢＢ−ＢＢＢＢ、ａｃｄ」、「０９０−ＸＸＸ−ＸＸＸＸ、ａＸｅ」』と記憶する状態において、携帯電話同士が通話接続する場合について説明する。
【００３４】
携帯電話は、電話情報ＤＢに記憶される他の電話機に対して通話接続要求を送信する場合に、識別番号ＤＢに記憶される識別番号を通話接続要求に付して送信する（図２の（１）参照）。上記した例で具体的に説明すると、携帯電話（Ｘ）は、電話情報ＤＢに記憶される携帯電話Ａに対して通話接続要求（０９０−ＸＸＸ−ＸＸＸＸ）を送信する場合に、識別番号ＤＢに記憶される識別番号（ａＸｅ）を通話接続要求に付して送信する。
【００３５】
そして、携帯電話は、他の電話機から通話接続要求を受信すると、通話接続要求から他の電話機に割り当てられた電話番号と識別番号を取得し、電話番号と識別番号の組み合わせが、電話情報ＤＢに記憶されているか否かを判定し、記憶されていると判定された場合に、通話接続要求を許可し、記憶されていないと判定された場合に、通話接続要求を拒否するように他の電話機との接続を制御する（図２の（２）と（３）参照）。
【００３６】
上記した例で具体的に説明すると、携帯電話（Ａ）は、携帯電話（Ｘ）から通話接続要求を受信すると、通話接続要求から携帯電話（Ｘ）に割り当てられた電話番号（０９０−ＸＸＸ−ＸＸＸＸ）と識別番号（ａＸｅ）を取得し、この電話番号と識別番号の組み合わせが、電話情報ＤＢに記憶されているか否かを判定する。そして、この電話番号（０９０−ＸＸＸ−ＸＸＸＸ）と識別番号（ａＸｅ）との組み合わせが電話情報ＤＢに記憶されていることより、携帯電話（Ａ）は、通話接続要求を許可して携帯電話（Ｘ）と接続する。一方、この電話番号（０９０−ＸＸＸ−ＸＸＸＸ）と識別番号（ａＸｅ）との組み合わせが電話情報ＤＢに記憶されていない場合、携帯電話（Ａ）は、通話接続要求を拒否する。
【００３７】
このように、実施例１に係る通信システムは、例えば、管理装置は、支給した社員の会社携帯電話の電話番号と会社の取引先電話番号を記憶しておくことで、会社携帯電話は、管理される社員または取引先からの電話しか着信することができず、ワン切りや勧誘電話からの着信を拒否することができ、また、私用電話としての着信を拒否することができる結果、上記した主たる特徴のごとく、利用者の負担を軽減するとともに、正確に着信制御を行うことが可能である。
【００３８】
［通信システムの構成（実施例１）］
次に、図３を用いて、図１と図２に示した通信システムにおける管理装置と携帯電話の構成を説明する。図３は、実施例１に係る通信システムの構成を示すブロック図である。図３に示すように、この通信システムは、管理装置１０と、携帯電話（Ｘ）２０と、携帯電話（Ａ）３０と、携帯電話（Ｂ）４０と、携帯電話（Ｃ）５０とから構成される。なお、携帯電話（Ｘ）と携帯電話（Ａ）と携帯電話（Ｂ）とは、同様の機能を有するので、ここでは携帯電話（Ｘ）の構成についてのみ説明する。また、携帯電話（Ｃ）は、一般的に使用されている携帯電話の構成と同様であるので、ここではその詳細な説明は省略する。
【００３９】
（管理装置１０の構成）
管理装置１０は、通信制御Ｉ／Ｆ部１１と、記憶部１２と、制御部１５とから構成される。通信制御Ｉ／Ｆ部１１は、携帯電話（Ｘ）２０、携帯電話（Ａ）、携帯電話（Ｂ）などとの間でやり取りする各種情報に関する通信を制御する。具体的に例を挙げれば、通信制御Ｉ／Ｆ部１１は、インターネットなどのネットワークを介して、携帯電話（Ｘ）２０から識別番号登録要求などを受信したり、携帯電話（Ｘ）２０に対して識別番号（ＩＤ）を送信したりする。
【００４０】
記憶部１２は、制御部１５による各種処理に必要なデータおよびプログラムを格納するとともに、特に本発明に密接に関連するものとしては、識別情報ＤＢ１３と、通知先ＤＢ１４とを備える。識別情報ＤＢ１３は、複数の携帯電話それぞれに一意に割り振られた電話番号に対応付けて、電話番号に一意に割り振られた識別番号を記憶する。具体的に例を挙げれば、図４に示したように、識別情報ＤＢ１３は、『電話機に割り当てられた「電話番号」、電話番号に一意に割り当てられた「識別番号」』として、「０９０−ＡＡＡ−ＡＡＡＡ、ａｂｃ」や「０８０−ＢＢＢ−ＢＢＢＢ、ａｃｄ」などと記憶する。なお、識別情報ＤＢ１３は、特許請求の範囲に記載の「識別情報記憶手段」に対応する。また、図４は、管理装置における識別情報ＤＢに記憶される情報の例を示す図である。また、図４に示した各種のデータやパラメータを含む情報については、特記する場合を除いて任意に変更することができる。
【００４１】
通知先ＤＢ１４は、識別情報ＤＢに記憶される携帯電話の電子メールアドレスなど携帯電話の通知先を記憶する。具体的に例を挙げれば、図５に示したように、通知先ＤＢは、「電話番号、メールアドレス」として「０９０−ＡＡＡ−ＡＡＡＡ、ＡＡＡ＠ｂｂｂ．ｎｅｔ」や「０８０−ＢＢＢ−ＢＢＢＢ、ＢＢＢ＠ｃｃｃ．ｃｏｍ」などと記憶する。なお、必ずしも電子メールアドレスである必要はなく、携帯電話に通知することができるあらゆる情報または手法を用いることができる。また、図５は、管理装置における通知先ＤＢに記憶される情報の例を示す図である。また、図５に示した各種のデータやパラメータを含む情報については、特記する場合を除いて任意に変更することができる。
【００４２】
制御部１５は、ＯＳ（Operating System）などの制御プログラム、各種の処理手順などを規定したプログラムおよび所要データを格納するための内部メモリを有するとともに、特に本発明に密接に関連するものとしては、識別番号生成部１６と、識別番号通知部１７とを備え、これらによって種々の処理を実行する。
【００４３】
識別番号生成部１６は、電話機から識別番号の生成を要求する識別番号登録要求を受信した場合に、当該要求を送信した電話機の電話番号に対して識別番号を生成して、電話番号に対応付けて識別情報ＤＢ１３に格納するとともに、当該要求を送信した電話機に識別番号を通知する。具体的に例を挙げれば、利用者の指示操作により識別番号の生成を要求する識別番号登録要求として、要求する旨のメッセージと自装置の電話番号（０９０−ＸＸＸ−ＸＸＸＸ）とを携帯電話（Ｘ）から受信すると、識別番号生成部１６は、当該要求を送信した携帯電話（Ｘ）の電話番号（０９０−ＸＸＸ−ＸＸＸＸ）に対して識別番号（ＩＤ）として「ａＸｅ」を生成して、電話番号（０９０−ＸＸＸ−ＸＸＸＸ）に対応付けて識別情報ＤＢ１３に「０９０−ＸＸＸ−ＸＸＸＸ、ａＸｅ」と格納するとともに、当該要求を送信した携帯電話（Ｘ）に識別番号（ａＸｅ）を通知する。なお、識別番号生成部１６は、特許請求の範囲に記載の「識別番号生成手段」に対応する。
【００４４】
識別番号通知部１７は、識別番号生成部１６により新たに識別番号が識別情報ＤＢ１３に格納された場合に、新たに格納された電話番号と識別番号とを、識別番号ＤＢ２４に記憶される電話機に通知する。具体的に例を挙げれば、識別番号生成部１６により新たに識別番号「ａＸｅ」が識別情報ＤＢ１３に格納された場合に、管理装置は、識別情報ＤＢに記憶される携帯電話（Ａ）と携帯電話（Ｂ）のメールアドレスである「ＡＡＡ＠ｂｂｂ．ｎｅｔ」と「ＢＢＢ＠ｃｃｃ．ｃｏｍ」とを通知先ＤＢより取得して、新たに格納した携帯電話（Ｘ）の電話番号「０９０−ＸＸＸ−ＸＸＸＸ」と識別番号（ＩＤ）「ａＸｅ」とを携帯電話（Ａ）と携帯電話（Ｂ）とに通知する。なお、識別番号通知部１７は、特許請求の範囲に記載の「識別番号通知手段」に対応する。
【００４５】
（携帯電話（Ｘ）２０の構成）
携帯電話（Ｘ）２０は、通信部２１と、記憶部２２と、制御部２５とから構成される。通信部２１は、管理装置１０、携帯電話（Ａ）３０や携帯電話（Ｂ）４０などとの間でやり取りする各種情報に関する通信を制御する。具体的に例を挙げれば、通信部２１は、インターネットなどのネットワークを介して管理装置１０に識別番号登録要求を送信したり、交換機や基地局を介して携帯電話（Ａ）３０などと通話接続したりする。
【００４６】
記憶部２２は、制御部２５による各種処理に必要なデータおよびプログラムを格納するとともに、特に本発明に密接に関連するものとしては、電話情報ＤＢ２３と、識別番号ＤＢ２４とを備える。電話情報ＤＢ２３は、管理装置１０の識別番号通知部１７により通知された電話番号と識別番号とを対応付けて記憶する。具体的に例を挙げれば、図６に示したように、電話情報ＤＢ２３は、『電話機に割り当てられた「電話番号」、電話番号に一意に割り当てられた「識別番号」』として、「０９０−ＡＡＡ−ＡＡＡＡ、ａｂｃ」や「０８０−ＢＢＢ−ＢＢＢＢ、ａｃｄ」などと記憶する。なお、電話情報ＤＢ２３は、特許請求の範囲に記載の「電話情報記憶手段」に対応する。また、図６は、携帯電話（Ｘ）における電話情報ＤＢに記憶される情報の例を示す図である。
【００４７】
また、図６に示した各種のデータやパラメータを含む情報については、特記する場合を除いて任意に変更することができる。例えば、図７に示したように、電話情報ＤＢ２３は、『電話機に割り当てられた「電話番号」、電話番号に一意に割り当てられた「識別番号」、登録済みか否かを示す「登録済み」』として、「０９０−ＡＡＡ−ＡＡＡＡ、ａｂｃ、済」や「０８０−ＢＢＢ−ＢＢＢＢ、ａｃｄ、済」などと記憶してもよい。また、図７は、携帯電話（Ｘ）における電話情報ＤＢに記憶される情報の例を示す図である。
【００４８】
識別番号ＤＢ２４は、管理装置に識別番号登録要求を送信して、管理装置から生成された識別番号を受信し、受信した識別番号を記憶する。具体的に例を挙げれば、図８に示したように、識別番号ＤＢ２４は、通信部２１を介して管理装置１０に識別番号登録要求を送信して、管理装置１０から生成された識別番号（ａＸｅ）を受信し、受信した識別番号（ａＸｅ）を記憶する。なお、識別番号ＤＢ２４は、特許請求の範囲に記載の「識別番号記憶手段」に対応する。また、図８は、携帯電話（Ｘ）における識別番号ＤＢに記憶される情報の例を示す図である。また、図８に示した各種のデータやパラメータを含む情報については、特記する場合を除いて任意に変更することができる。
【００４９】
制御部２５は、ＯＳ（Operating System）などの制御プログラム、各種の処理手順などを規定したプログラムおよび所要データを格納するための内部メモリを有するとともに、特に本発明に密接に関連するものとしては、通話接続要求送信部２６と、接続制御部２７とを備え、これらによって種々の処理を実行する。
【００５０】
通話接続要求送信部２６は、電話情報ＤＢ２３に記憶される他の電話機に対して通話接続要求を送信する場合に、識別番号ＤＢ２４に記憶される識別番号を通話接続要求に付して送信する。具体的に例を挙げれば、携帯電話（Ｘ）は、電話情報ＤＢ２３に記憶される携帯電話（Ａ）３０に対して通話接続要求（０９０−ＸＸＸ−ＸＸＸＸ）を送信する場合に、識別番号ＤＢ２４に記憶される識別番号（ａＸｅ）を通話接続要求に付して送信する。なお、通話接続要求送信部２６は、特許請求の範囲に記載の「通話接続要求送信手段」に対応する。
【００５１】
接続制御部２７は、他の電話機から通話接続要求を受信すると、通話接続要求から他の電話機に割り当てられた電話番号と識別番号を取得し、電話番号と識別番号の組み合わせが、電話情報ＤＢに記憶されているか否かを判定し、記憶されていると判定された場合に、通話接続要求を許可し、記憶されていないと判定された場合に、通話接続要求を拒否するように他の電話機との接続を制御する。
【００５２】
具体的に例を挙げれば、携帯電話（Ａ）３０は、携帯電話（Ｘ）２０から通話接続要求を受信すると、通話接続要求から携帯電話（Ａ）３０に割り当てられた電話番号（０９０−ＸＸＸ−ＸＸＸＸ）と識別番号（ａＸｅ）を取得し、この電話番号と識別番号の組み合わせが、電話情報ＤＢ２３に記憶されているか否かを判定する。そして、この電話番号（０９０−ＸＸＸ−ＸＸＸＸ）と識別番号（ａＸｅ）との組み合わせが電話情報ＤＢ２３に記憶されていることより、携帯電話（Ａ）３０は、通話接続要求を許可して携帯電話（Ｘ）２０と接続する。一方、この電話番号（０９０−ＸＸＸ−ＸＸＸＸ）と識別番号（ａＸｅ）との組み合わせが電話情報ＤＢ２３に記憶されていない場合、携帯電話（Ａ）３０は、通話接続要求を拒否する。なお、接続制御部２７は、特許請求の範囲に記載の「接続制御手段」に対応する。
【００５３】
［通信システムによる処理（実施例１）］
次に、図９〜図１１を用いて、通信システムによる処理を説明する。図９は、実施例１に係る通信システムにおける識別番号格納処理の流れを示すシーケンス図である。
【００５４】
（識別番号格納処理の流れ）
図９に示すように、携帯電話（Ｘ）２０は、識別番号（ＩＤ）の生成を要求する識別番号生成要求を管理装置１０に送信する（ステップＳ９０１）。そして、管理装置１０は、携帯電話（Ｘ）２０から識別番号登録要求を受信した場合に、当該要求を送信した携帯電話（Ｘ）２０の電話番号に対して識別番号（ＩＤ）を生成して（ステップＳ９０２）、電話番号に対応付けて識別情報ＤＢ１３に格納するとともに（ステップＳ９０３）、当該要求を送信した携帯電話（Ｘ）２０に識別番号（ＩＤ）を通知する（ステップＳ９０４）。
【００５５】
その後、携帯電話（Ｘ）２０は、管理装置１０に識別番号登録要求を送信して、管理装置１０から生成された識別番号（ＩＤ）を受信し、受信した識別番号（ＩＤ）を識別番号ＤＢ２４に記憶する（ステップＳ９０５）。
【００５６】
続いて、管理装置１０は、識別情報ＤＢ１３に記憶される電話番号と識別番号（ＩＤ）とを携帯電話（Ｘ）２０に対して送信し（ステップＳ９０６）、携帯電話（Ｘ）２０は、受信した電話番号と識別番号（ＩＤ）とを電話情報ＤＢ２３に格納する（ステップＳ９０７）。
【００５７】
続いて、管理装置１０は、識別番号生成部１６により新たに識別番号（ＩＤ）が識別情報ＤＢ１３に格納された場合に、新たに格納された電話番号と識別番号（ＩＤ）とを、識別情報ＤＢ１３に記憶される電話機に通知する（ステップＳ９０８）。その後、携帯電話（Ａ）３０は、受信した電話番号と識別番号（ＩＤ）とを識別番号ＤＢ２４に記憶する（ステップＳ９０９）。なお、この図では、携帯電話（Ａ）３０に送信する場合について説明したが、本発明はこれに限定されるものではなく、識別情報ＤＢ１３に記憶される全ての携帯電話に送信するようにしてもよい。
【００５８】
（識別番号格納処理の流れ）
次に、図１０を用いて、通信システムにおける発信処理の流れを説明する。図１０は、実施例１に係る通信システムにおける発信処理の流れを示すフローチャートである。
【００５９】
図１０に示すように、利用者からダイアル入力や電話情報ＤＢ２３から電話番号選択などの発信操作を受け付けると（ステップＳ１００１肯定）、携帯電話（Ｘ）２０は、当該発信電話番号に対応する識別番号が電話情報ＤＢ２３に記憶されているか否かを判定する（ステップＳ１００２）。
【００６０】
具体的に例を挙げれば、携帯電話（Ｘ）２０が携帯電話（Ａ）３０に通話接続要求を送信する場合、利用者からダイアル入力「０９０−ＡＡＡ−ＡＡＡＡ」による発信操作を受け付けると、携帯電話（Ｘ）２０は、当該発信電話番号「０９０−ＡＡＡ−ＡＡＡＡ」に対応する識別番号が電話情報ＤＢ２３に記憶されているか否かを判定する。
【００６１】
そして、識別番号が電話情報ＤＢ２３に記憶されている場合（ステップＳ１００２肯定）、携帯電話（Ｘ）２０は、識別番号ＤＢ２４に記憶される識別番号を通話接続要求に付して通話接続要求を送信する（ステップＳ１００３）。
【００６２】
上記した例で具体的に説明すると、当該発信電話番号「０９０−ＡＡＡ−ＡＡＡＡ」に対応する識別番号「ａｂｃ」が電話情報ＤＢ２３に記憶されているので、携帯電話（Ｘ）２０は、識別番号ＤＢ２４に記憶される識別番号「ａｂｃ」を通話接続要求「０９０−ＡＡＡ−ＡＡＡＡ」に付して通話接続要求を送信する。
【００６３】
一方、識別番号が電話情報ＤＢ２３に記憶されていない場合（ステップＳ１００２否定）、携帯電話（Ｘ）２０は、識別番号ＤＢ２４に記憶される識別番号を通話接続要求に付すことなく、通常どおりの通話接続要求を送信する（ステップＳ１００４）。
【００６４】
（識別番号格納処理の流れ）
次に、図１１を用いて、通信システムにおける通話接続処理の流れを説明する。図１１は、実施例１に係る通信システムにおける通話接続処理の流れを示すフローチャートである。
【００６５】
図１１に示すように、携帯電話（Ａ）３０は、携帯電話（Ｘ）２０から通話接続要求を受信すると（ステップＳ１１０１肯定）、識別番号が付与されているか否かを判定する（ステップＳ１１０２）。
【００６６】
そして、識別番号が付与されている場合（ステップＳ１１０２肯定）、携帯電話（Ａ）３０は、受信した電話番号と識別番号との組み合わせが電話情報ＤＢ２３に記憶されているか否かを判定する（ステップＳ１１０３）。
【００６７】
続いて、受信した電話番号と識別番号との組み合わせが電話情報ＤＢ２３に記憶されている場合（ステップＳ１１０３肯定）、携帯電話（Ａ）３０は、携帯電話（Ｘ）２０から受信した通話接続要求を許可して、携帯電話（Ｘ）２０と通話接続を行う（ステップＳ１１１０４）。
【００６８】
一方、受信した電話番号と識別番号との組み合わせが電話情報ＤＢ２３に記憶されていない場合（ステップＳ１１０３否定）、携帯電話（Ａ）３０は、携帯電話（Ｘ）２０から受信した通話接続要求を拒否して、携帯電話（Ｘ）２０と接続を切断する（ステップＳ１１１０５）。
【００６９】
ステップＳ１１０２に戻り、識別番号が付与されていない場合（ステップＳ１１０２否定）、携帯電話（Ａ）３０は、携帯電話（Ｘ）２０から受信した通話接続要求を拒否して、携帯電話（Ｘ）２０と接続を切断する（ステップＳ１１０５）。
【００７０】
［実施例１による効果］
このように、実施例１によれば、管理装置は、複数の電話機それぞれに一意に割り振られた電話番号に対応付けて、電話番号に一意に割り振られた識別番号を記憶し、電話機から識別番号の生成を要求する識別番号登録要求を受信した場合に、当該要求を送信した電話機の電話番号に対して識別番号を生成して、電話番号に対応付けて格納するとともに、当該要求を送信した電話機に識別番号を通知し、新たに識別番号が格納された場合に、新たに格納された電話番号と識別番号とを、記憶される電話機に通知し、電話機は、通知された電話番号と識別番号とを対応付けて記憶し、管理装置に識別番号登録要求を送信して、管理装置から生成された識別番号を受信し、受信した識別番号を記憶し、記憶される他の電話機に対して通話接続要求を送信する場合に、記憶される識別番号を通話接続要求に付して送信し、他の電話機から通話接続要求を受信すると、通話接続要求から他の電話機に割り当てられた電話番号と識別番号を取得し、電話番号と識別番号の組み合わせが、記憶されているか否かを判定し、記憶されていると判定された場合に、通話接続要求を許可し、記憶されていないと判定された場合に、通話接続要求を拒否するように他の電話機との接続を制御するので、利用者の負担を軽減するとともに、正確に着信制御を行うことが可能である。
【００７１】
例えば、会社などで携帯電話を管理する場合、管理装置は、支給した社員の会社携帯電話の電話番号と会社の取引先電話番号を記憶しておくことで、会社携帯電話は、管理される社員または取引先からの電話しか着信することができず、ワン切りや勧誘電話からの着信を拒否することができ、また、私用電話としての着信を拒否することができる結果、利用者の負担を軽減するとともに、正確に着信制御を行うことが可能である。
【実施例２】
【００７２】
さて、これまで実施例１では、管理装置は、電話番号に対応付けて識別番号を記憶する場合について説明してきたが、本発明はこれに限定されるものではなく、管理装置は、電話機の所有者を特定するために一意に割り当てられた個人ＩＤに対応付けて電話番号と識別番号とを記憶してもよい。
【００７３】
そこで、実施例２では、図１２〜図１４を用いて、管理装置が電話機の所有者を特定するために一意に割り当てられた個人ＩＤに対応付けて電話番号と識別番号とを記憶する場合について説明する。なお、実施例２では、実施例２に係る通信システムの全体構成、通信システムによる処理の手順、実施例２の効果を順に説明する。なお、携帯電話同士が通話接続する場合については、実施例１と同様であるので、ここではその詳細な説明は省略し、識別番号と個人ＩＤが生成されて、管理装置に記憶されるまでの処理について説明する。
【００７４】
［通信システムの全体構成（実施例２）］
実施例２に係る通信システムは、実施例１と同様に、管理装置と複数の携帯電話（携帯電話（Ｘ）、携帯電話（Ａ）、携帯電話（Ｂ）、携帯電話（Ｃ））とが交換機や基地局を介してネットワークで接続されている。そして、携帯電話（Ｘ）には、電話番号として「０９０−ＸＸＸ−ＸＸＸＸ」が割り当てられており、同様に、携帯電話（Ａ）には「０９０−ＡＡＡ−ＡＡＡＡ」、携帯電話（Ｂ）には「０８０−ＢＢＢ−ＢＢＢＢ」、携帯電話（Ｃ）には「０７０−ＣＣＣ−ＣＣＣＣ」がそれぞれ割り当てられている。
【００７５】
そして、実施例１とは異なり、管理装置は、電話機の所有者を特定するために一意に割り当てられた個人ＩＤに対応付けて電話番号と識別番号とを記憶する。具体的に例を挙げれば、図１２に示すように、識別情報ＤＢは、『電話機の所有者を特定するために一意に割り当てられた「個人ＩＤ」、「電話番号」、識別番号」』として、「００１、０９０−ＡＡＡ−ＡＡＡＡ、ａｂｃ」や「００２、０８０−ＢＢＢ−ＢＢＢＢ、ａｃｄ」などと記憶する。なお、図１２は、実施例２に係る通信システムにおける管理装置の識別情報ＤＢに記憶される情報の例を示す図である。
【００７６】
そして、管理装置は、記憶される携帯電話の電子メールアドレスなど携帯電話の通知先を通知先ＤＢに記憶する。具体的に例を挙げれば、図１３に示すように、通知先ＤＢは、「個人ＩＤ、電話番号、メールアドレス」として「００１、０９０−ＡＡＡ−ＡＡＡＡ、ＡＡＡ＠ｂｂｂ．ｎｅｔ」や「００２、０８０−ＢＢＢ−ＢＢＢＢ、ＢＢＢ＠ｃｃｃ．ｃｏｍ」などと記憶する。なお、図１３は、実施例２に係る通信システムにおける管理装置の通知先ＤＢに記憶される情報の例を示す図である。
【００７７】
このような状態において、携帯電話は、識別番号登録要求とともに、通知先を示す個人ＩＤを管理装置に送信する。続いて、管理装置は、携帯電話から識別番号登録要求と識別番号を通知する先を示す個人ＩＤとを受信した場合に、当該要求を送信した電話機の電話番号に対して識別番号と当該電話機の所有者を特定するための個人ＩＤとを生成して、当該個人ＩＤに対応付けて電話番号と識別番号とを識別情報ＤＢに格納するとともに、当該要求を送信した携帯電話に識別番号を通知する。その後、管理装置は、識別情報ＤＢに新たに記憶された電話番号と識別番号とを、受信した通知先を示す個人ＩＤに対応する電話機に対して通知する。なお、この以降の携帯電話同士が通話接続する場合については、実施例１と同様であるので、ここではその詳細な説明は省略する。
【００７８】
［通信システムによる処理（実施例２）］
次に、図１４を用いて、通信システムによる処理を説明する。図１４は、実施例２に係る通信システムにおける識別番号格納処理の流れを示すシーケンス図である。
【００７９】
（識別番号格納処理の流れ）
図１４に示すように、携帯電話（Ｘ）は、識別番号（ＩＤ）の生成を要求する識別番号生成要求と通知先を指定する個人ＩＤとを管理装置に送信する（ステップＳ１４０１）。そして、管理装置は、携帯電話（Ｘ）から識別番号登録要求と通知先を指定する個人ＩＤとを受信した場合に、当該要求を送信した携帯電話（Ｘ）の電話番号に対して識別番号（ＩＤ）と携帯電話（Ｘ）を特定する個人ＩＤとを生成して（ステップＳ１４０２）、生成した個人ＩＤに対応付けて電話番号と識別番号とを識別情報ＤＢに格納するとともに（ステップＳ１４０３）、当該要求を送信した携帯電話（Ｘ）に識別番号（ＩＤ）を通知する（ステップＳ１４０４）。
【００８０】
具体的に例を挙げて説明すると、携帯電話（Ｘ）は、識別番号（ＩＤ）の生成を要求する識別番号生成要求と、通知先として携帯電話（Ａ）を指定する個人ＩＤ「００１」とを管理装置に送信する。そして、管理装置は、携帯電話（Ｘ）から識別番号登録要求と通知先を指定する個人ＩＤ「００１」とを受信した場合に、当該要求を送信した携帯電話（Ｘ）の電話番号に対して識別番号（ａＸｅ）と携帯電話（Ｘ）を特定する個人ＩＤ（００５）とを生成して、個人ＩＤ（００５）に対応付けて電話番号と識別番号とを識別情報ＤＢに格納するとともに、当該要求を送信した携帯電話（Ｘ）に識別番号（ａＸｅ）を通知する。
【００８１】
その後、携帯電話（Ｘ）は、管理装置に識別番号登録要求を送信して、管理装置から生成された識別番号（ＩＤ）を受信し、受信した識別番号（ＩＤ）を識別番号ＤＢに記憶する（ステップＳ１４０５）。上記した例で具体的に説明すると、携帯電話（Ｘ）は、管理装置に識別番号登録要求を送信して、管理装置から生成された識別番号（ａＸｅ）を受信し、受信した識別番号（ａＸｅ）を識別番号ＤＢに記憶する。
【００８２】
続いて、管理装置は、識別情報ＤＢに記憶される受信した通知先を示す個人ＩＤに対応する電話番号と識別番号（ＩＤ）とを携帯電話（Ｘ）に対して送信し（ステップＳ１４０６）、携帯電話（Ｘ）は、受信した電話番号と識別番号（ＩＤ）とを電話情報ＤＢに格納する（ステップＳ１４０７）。
【００８３】
上記した例で具体的に説明すると、管理装置は、識別情報ＤＢに記憶される受信した通知先を示す個人ＩＤ「００１」に対応する電話番号（０９０−ＡＡＡ−ＡＡＡＡ）と識別番号（ａｂｃ）とを携帯電話（Ｘ）に対して送信し、携帯電話（Ｘ）は、受信した電話番号（０９０−ＡＡＡ−ＡＡＡＡ）と識別番号（ａｂｃ）とを電話情報ＤＢに格納する。
【００８４】
続いて、管理装置は、新たに識別番号（ＩＤ）が識別情報ＤＢに格納された場合に、新たに格納された電話番号と識別番号（ＩＤ）とを、受信した通知先を示す個人ＩＤに対応する携帯電話（Ａ）に通知する（ステップＳ１４０８）。その後、携帯電話（Ａ）は、受信した電話番号と識別番号（ＩＤ）とを識別番号ＤＢに記憶する（ステップＳ１４０９）。
【００８５】
上記した例で具体的に説明すると、新たに識別番号（ａＸｅ）が識別情報ＤＢに格納された場合に、新たに格納された電話番号（０９０−ＸＸＸ−ＸＸＸＸ）と識別番号（ａＸｅ）とを、受信した通知先を示す個人ＩＤ「００１」に対応する携帯電話（Ａ）に通知する。その後、携帯電話（Ａ）は、受信した電話番号（０９０−ＸＸＸ−ＸＸＸＸ）と識別番号（ａＸｅ）とを識別番号ＤＢに記憶する。
【００８６】
［実施例２による効果］
このように、実施例２によれば、電話機の所有者を特定するために一意に割り当てられた個人ＩＤに対応付けて電話番号と識別番号とを記憶し、電話機から識別番号登録要求と識別番号を通知する先を示す個人ＩＤとを受信した場合に、当該要求を送信した電話機の電話番号に対して識別番号と当該電話機の所有者を特定するための個人ＩＤとを生成して、当該個人ＩＤに対応付けて電話番号と識別番号とを格納するとともに、当該要求を送信した電話機に識別番号を通知し、新たに記憶された電話番号と識別番号とを、受信した通知先を示す個人ＩＤに対応する電話機に対して通知し、識別番号登録要求とともに、通知先を示す個人ＩＤを送信するので、利用者の負担を軽減するとともに、正確に着信制御を行うことが可能である。
【００８７】
例えば、会社などで携帯電話を管理する場合、管理装置は、支給した社員の会社携帯電話の電話番号と会社の取引先電話番号を記憶しておくことで、会社携帯電話は、管理される社員または取引先からの電話しか着信することができず、ワン切りや勧誘電話からの着信を拒否することができ、また、私用電話としての着信を拒否することができる結果、利用者の負担を軽減するとともに、正確に着信制御を行うことが可能である。
【実施例３】
【００８８】
さて、これまで実施例１では、管理装置は、電話番号に対応付けて識別番号を記憶する場合について説明してきたが、本発明はこれに限定されるものではなく、管理装置は、あらかじめ定めたグループＩＤに対応付けて電話番号と識別番号とを記憶してもよい。
【００８９】
そこで、実施例３では、図１５〜図１７を用いて、管理装置は、あらかじめ定めたグループＩＤに対応付けて電話番号と識別番号とを記憶する場合について説明する。なお、実施例３では、実施例３に係る通信システムの全体構成、通信システムによる処理の手順、実施例３の効果を順に説明する。なお、携帯電話同士が通話接続する場合については、実施例１と同様であるので、ここではその詳細な説明は省略し、識別番号が生成されて、管理装置に記憶されるまでの処理について説明する。
【００９０】
［通信システムの全体構成（実施例３）］
実施例３に係る通信システムは、実施例１と同様に、管理装置と複数の携帯電話（携帯電話（Ｘ）、携帯電話（Ａ）、携帯電話（Ｂ）、携帯電話（Ｃ））とが交換機や基地局を介してネットワークで接続されている。そして、携帯電話（Ｘ）には、電話番号として「０９０−ＸＸＸ−ＸＸＸＸ」が割り当てられており、同様に、携帯電話（Ａ）には「０９０−ＡＡＡ−ＡＡＡＡ」、携帯電話（Ｂ）には「０８０−ＢＢＢ−ＢＢＢＢ」、携帯電話（Ｃ）には「０７０−ＣＣＣ−ＣＣＣＣ」がそれぞれ割り当てられている。
【００９１】
そして、実施例１とは異なり、管理装置は、あらかじめ定めたグループＩＤに対応付けて電話番号と識別番号とを記憶する。具体的に例を挙げれば、図１５に示すように、識別情報ＤＢは、『あらかじめ定めたグループＩＤに対応付けて「グループＩＤ」、「電話番号」、識別番号」』として、「０１、０９０−ＡＡＡ−ＡＡＡＡ、ａｂｃ」や「０２、０８０−ＢＢＢ−ＢＢＢＢ、ａｃｄ」などと記憶する。なお、図１５は、実施例３に係る通信システムにおける管理装置の識別情報ＤＢに記憶される情報の例を示す図である。
【００９２】
そして、管理装置は、記憶される携帯電話の電子メールアドレスなど携帯電話の通知先を通知先ＤＢに記憶する。具体的に例を挙げれば、図１６に示すように、通知先ＤＢは、「グループＩＤ、電話番号、メールアドレス」として「０１、０９０−ＡＡＡ−ＡＡＡＡ、ＡＡＡ＠ｂｂｂ．ｎｅｔ」などと記憶する。なお、図１６は、実施例３に係る通信システムにおける管理装置の通知先ＤＢに記憶される情報の例を示す図である。
【００９３】
このような状態において、携帯電話は、識別番号登録要求とともに、属するグループを希望するグループＩＤを管理装置に送信する。続いて、管理装置は、グループＩＤと携帯電話から識別番号登録要求とを受信した場合に、当該要求を送信した電話機の電話番号に対して識別番号を生成して、当該希望するグループＩＤに対応付けて電話番号と識別番号とを識別情報ＤＢに格納するとともに、当該要求を送信した携帯電話に識別番号を通知する。その後、管理装置は、識別情報ＤＢに新たに記憶された電話番号と識別番号とを、受信したグループＩＤに属する電話機に対して通知する。なお、この以降の携帯電話同士が通話接続する場合については、実施例１と同様であるので、ここではその詳細な説明は省略する。
【００９４】
［通信システムによる処理（実施例３）］
次に、図１７を用いて、通信システムによる処理を説明する。図１７は、実施例３に係る通信システムにおける識別番号格納処理の流れを示すシーケンス図である。
【００９５】
（識別番号格納処理の流れ）
図１７に示すように、携帯電話（Ｘ）は、識別番号（ＩＤ）の生成を要求する識別番号生成要求と、属するグループを希望するグループＩＤとを管理装置に送信する（ステップＳ１７０１）。そして、管理装置は、携帯電話（Ｘ）から識別番号登録要求と、属するグループを希望するグループＩＤとを受信した場合に、当該要求を送信した携帯電話（Ｘ）の電話番号に対して識別番号（ＩＤ）を生成して（ステップＳ１７０２）、受信したグループＩＤに対応付けて電話番号と識別番号とを識別情報ＤＢに格納するとともに（ステップＳ１７０３）、当該要求を送信した携帯電話（Ｘ）に識別番号（ＩＤ）を通知する（ステップＳ１７０４）。
【００９６】
具体的に例を挙げて説明すると、携帯電話（Ｘ）は、識別番号（ＩＤ）の生成を要求する識別番号生成要求と、属するグループを希望するグループＩＤ（０１）とを管理装置に送信する。そして、管理装置は、携帯電話（Ｘ）から識別番号登録要求と、グループＩＤ「０１」とを受信した場合に、当該要求を送信した携帯電話（Ｘ）の電話番号に対して識別番号（ａＸｅ）とを生成して、受信したグループＩＤ（０１）に対応付けて電話番号（０９０−ＸＸＸ−ＸＸＸＸ）と識別番号（ａＸｅ）とを識別情報ＤＢに格納するとともに、当該要求を送信した携帯電話（Ｘ）に識別番号（ａＸｅ）を通知する。
【００９７】
その後、携帯電話（Ｘ）は、管理装置に識別番号登録要求を送信して、管理装置から生成された識別番号（ＩＤ）を受信し、受信した識別番号（ＩＤ）を識別番号ＤＢに記憶する（ステップＳ１７０５）。上記した例で具体的に説明すると、携帯電話（Ｘ）は、管理装置に識別番号登録要求を送信して、管理装置から生成された識別番号（ａＸｅ）を受信し、受信した識別番号（ａＸｅ）を識別番号ＤＢに記憶する。
【００９８】
続いて、管理装置は、受信したグループＩＤに対応する電話番号と識別番号（ＩＤ）とを識別情報ＤＢから取得して携帯電話（Ｘ）に対して送信し（ステップＳ１７０６）、携帯電話（Ｘ）は、受信した電話番号と識別番号（ＩＤ）とを電話情報ＤＢに格納する（ステップＳ１７０７）。
【００９９】
上記した例で具体的に説明すると、管理装置は、受信したグループＩＤ（０１）に対応する携帯電話（Ａ）の電話番号（０９０−ＡＡＡ−ＡＡＡＡ）と識別番号（ａｂｃ）とを識別情報ＤＢから取得して携帯電話（Ｘ）に対して送信し、携帯電話（Ｘ）は、受信した電話番号（０９０−ＡＡＡ−ＡＡＡＡ）と識別番号（ａｂｃ）とを電話情報ＤＢに格納する。つまり、携帯電話（Ｘ）は、同じグループに属する携帯電話（Ａ）の情報のみが通知され、異なるグループに属する携帯電話（Ｂ）などの情報は通知されない。
【０１００】
続いて、管理装置は、新たに識別番号（ＩＤ）が識別情報ＤＢに格納された場合に、新たに格納された電話番号と識別番号（ＩＤ）とを、受信したグループＩＤに対応する携帯電話（Ａ）に通知する（ステップＳ１７０８）。その後、携帯電話（Ａ）は、電話番号と識別番号（ＩＤ）とを識別番号ＤＢに記憶する（ステップＳ１７０９）。
【０１０１】
上記した例で具体的に説明すると、管理装置は、新たに識別番号（ａＸｅ）が識別情報ＤＢに格納された場合に、新たに格納された電話番号（０９０−ＸＸＸ−ＸＸＸＸ）と識別番号（ａＸｅ）とを、受信したグループＩＤ（０１）に対応する携帯電話（Ａ）に通知する。その後、携帯電話（Ａ）は、受信した電話番号（０９０−ＸＸＸ−ＸＸＸＸ）と識別番号（ａＸｅ）とを識別番号ＤＢに記憶する。つまり、識別番号登録要求に付したグループＩＤに属する携帯電話に対してのみ送信し、グループＩＤが異なる携帯電話には送信しない。
【０１０２】
［実施例３による効果］
このように、実施例３によれば、あらかじめ定めたグループＩＤに対応付けて電話番号と識別番号とを記憶し、電話機から識別番号登録要求と属するグループを希望するグループＩＤとを受信した場合に、当該要求を送信した電話機の電話番号に対して識別番号を生成して、グループＩＤに対応付けて電話番号と識別番号とを格納するとともに、当該要求を送信した電話機に識別番号を通知し、受信したグループＩＤに属する電話機に対して、新たに格納された電話番号と識別番号とを通知し、識別番号登録要求とともに、グループＩＤを送信するので、グループに対応付けた細かな着信制御を行うことが可能である。
【０１０３】
例えば、会社内で営業部（グループＩＤ：０１）、開発部（０２）、総務部（０３）、経理部（０４）、人事部（０５）とグループ分けを行った場合、営業部の社員は、グループ０１と０２に属するとすると、営業部の社員と開発部の社員からの着信以外は拒否することができるなど、グループに対応付けた細かな着信制御を行うことが可能である。また、新たに開発部の社員が追加された場合、開発部の社員が属するグループであるグループ０２（開発部）と０１（営業部）のみに、社員が追加されたことを通知することができる結果、情報漏えいに繋がる恐れのある無用な情報提供を防止することが可能である。
【実施例４】
【０１０４】
さて、これまで本発明の実施例について説明したが、本発明は上述した実施例以外にも、種々の異なる形態にて実施されてよいものである。そこで、以下に示すように、（１）管理装置での認証、（２）システム構成等、（３）プログラムにそれぞれ区分けして異なる実施例を説明する。
【０１０５】
（１）管理装置での認証
例えば、実施例１〜３に示した通信システムの管理装置は、識別番号登録要求を受信した場合に、識別番号登録要求を送信した電話機が正当な利用者であることを条件に、当該要求を送信した電話機の電話番号に対して識別番号を生成するようにしてもよい。例を挙げると、管理装置は、あらかじめ携帯電話の電話番号を記憶しておき、記憶する電話番号からの要求のみを受け付けるようにしたり、電子著名や公開鍵暗号化方式などの暗号化方式などを用いてもよい。
【０１０６】
このようにすることで、識別番号登録要求を受信した場合に、識別番号登録要求を送信した電話機が正当な利用者であることを条件に、当該要求を送信した電話機の電話番号に対して識別番号を生成して、電話番号に対応付けて格納するとともに、当該要求を送信した電話機に識別番号を通知するので、正確かつセキュリティの高い着信制御を行うことが可能である。
【０１０７】
例えば、会社で支給した電話機に対して着信制御を行う場合、管理装置は、あらかじめ支給した電話機の電話番号一覧を登録しておき、電話機から識別番号登録要求を受信すると、当該要求を送信した電話機の電話番号が記憶する電話番号一覧に存在するか否かを判定し、存在する場合にのみ識別番号を生成して通知するようにすることができ、会社外部の携帯電話が登録されるのを防止することができる結果、正確かつセキュリティの高い着信制御を行うことが可能である。
【０１０８】
（２）システム構成等
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。また、本実施例において説明した上記文書中や図面中で示した処理手順、制御手順、具体的名称、各種のデータやパラメータを含む情報（例えば、図４や図５参照）については、特記する場合を除いて任意に変更することができる。
【０１０９】
（３）プログラム
（管理装置における各処理を実行するコンピュータ）
ところで、上記の実施例で説明した各種の処理は、あらかじめ用意されたプログラムをパーソナルコンピュータやワークステーションなどのコンピュータシステムで実行することによって実現することができる。そこで、以下では、上記の実施例と同様の機能を有するプログラムを実行するコンピュータシステムを他の実施例として説明する。
【０１１０】
図１８は、通信制御プログラムを実行するコンピュータシステムの例を示す図である。図１８に示すように、コンピュータシステム１８０は、ＲＡＭ１８１と、ＨＤＤ１８２と、ＲＯＭ１８３と、ＣＰＵ１８４とから構成される。ここで、ＲＯＭ１８３には、上記の実施例と同様の機能を発揮するプログラム、つまり、図１８に示すように、識別番号生成プログラム１８３ａと、識別番号通知プログラム１８３ｂとがあらかじめ記憶されている。
【０１１１】
そして、ＣＰＵ１８４には、これらのプログラム１８３ａと１８３ｂを読み出して実行することで、図１８に示すように、識別番号生成プロセス１８４ａと、識別番号通知プロセス１８４ｂとなる。なお、識別番号生成プロセス１８４ａは、図３に示した、識別番号生成部１６に対応する。識別番号通知プロセス１８４ｂは、識別番号通知部１７に対応する。
【０１１２】
また、ＨＤＤ１８２には、複数の携帯電話それぞれに一意に割り振られた電話番号に対応付けて、電話番号に一意に割り振られた識別番号を記憶する識別情報テーブル１８２ａと、識別情報ＤＢに記憶される携帯電話の電子メールアドレスなど携帯電話の通知先を記憶する通知先テーブル１８２ｂとが設けられる。なお、識別情報テーブル１８２ａは、図３に示した、識別情報ＤＢ１３に対応し、通知先テーブル１８２ｂは、通知先ＤＢ１４に対応する。
【０１１３】
ところで、上記したプログラム１８３ａと１８３ｂは、必ずしもＲＯＭ１８３に記憶させておく必要はなく、例えば、コンピュータシステム１８０に挿入されるフレキシブルディスク（ＦＤ）、ＣＤ−ＲＯＭ、ＭＯディスク、ＤＶＤディスク、光磁気ディスク、ＩＣカードなどの「可搬用の物理媒体」の他に、コンピュータシステム１８０の内外に備えられるハードディスクドライブ（ＨＤＤ）などの「固定用の物理媒体」、さらに、公衆回線、インターネット、ＬＡＮ、ＷＡＮなどを介してコンピュータシステム１８０に接続される「他のコンピュータシステム」に記憶させておき、コンピュータシステム１８０がこれらからプログラムを読み出して実行するようにしてもよい。
【０１１４】
（携帯電話における各処理を実行するコンピュータ）
ところで、上記の実施例で説明した各種の処理は、あらかじめ用意されたプログラムをパーソナルコンピュータやワークステーションなどのコンピュータシステムで実行することによって実現することができる。そこで、以下では、上記の実施例と同様の機能を有するプログラムを実行するコンピュータシステムを他の実施例として説明する。
【０１１５】
図１９は、通信制御プログラムを実行するコンピュータシステムの例を示す図である。図１９に示すように、コンピュータシステム１９０は、ＲＡＭ１９１と、ＨＤＤ１９２と、ＲＯＭ１９３と、ＣＰＵ１９４とから構成される。ここで、ＲＯＭ１９３には、上記の実施例と同様の機能を発揮するプログラム、つまり、図１９に示すように、通話接続要求送信プログラム１９３ａと、接続制御プログラム１９３ｂとがあらかじめ記憶されている。
【０１１６】
そして、ＣＰＵ１９４には、これらのプログラム１９３ａと１９３ｂとを読み出して実行することで、図１９に示すように、通話接続要求送信プロセス１９４ａと、接続制御プロセス１９４ｂとなる。なお、通話接続要求送信プロセス１９４ａは、図３に示した、通話接続要求送信部２６に対応する。接続制御プロセス１９４ｂは、接続制御部２７に対応する。
【０１１７】
また、ＨＤＤ１９２には、管理装置により通知された電話番号と識別番号（ＩＤ）とを対応付けて記憶する電話情報テーブル１９２ａと、管理装置に識別番号登録要求を送信して、管理装置から生成された識別番号（ＩＤ）を受信し、受信した識別番号（ＩＤ）を記憶する識別番号テーブル１９２ｂとが設けられる。なお、電話情報テーブル１９２ａは、図３に示した、電話情報ＤＢ２３に対応し、識別番号テーブル１９２ｂは、識別番号ＤＢ２４に対応する。
【０１１８】
ところで、上記したプログラム１９３ａと１９３ｂは、必ずしもＲＯＭ１９３に記憶させておく必要はなく、例えば、コンピュータシステム１９０に挿入されるフレキシブルディスク（ＦＤ）、ＣＤ−ＲＯＭ、ＭＯディスク、ＤＶＤディスク、光磁気ディスク、ＩＣカードなどの「可搬用の物理媒体」の他に、コンピュータシステム１９０の内外に備えられるハードディスクドライブ（ＨＤＤ）などの「固定用の物理媒体」、さらに、公衆回線、インターネット、ＬＡＮ、ＷＡＮなどを介してコンピュータシステム１９０に接続される「他のコンピュータシステム」に記憶させておき、コンピュータシステム１９０がこれらからプログラムを読み出して実行するようにしてもよい。
【０１１９】
（付記１）複数の電話機と前記複数の電話機それぞれに接続される管理装置とから構成される通信システムであって、
前記管理装置は、
前記複数の電話機それぞれに一意に割り振られた電話番号に対応付けて、前記電話番号に一意に割り振られた識別番号を記憶する識別情報記憶手段と、
前記電話機から前記識別番号の生成を要求する識別番号登録要求を受信した場合に、当該要求を送信した電話機の電話番号に対して前記識別番号を生成して、前記電話番号に対応付けて前記識別情報記憶手段に格納するとともに、当該要求を送信した電話機に前記識別番号を通知する識別番号生成手段と、
前記識別番号生成手段により新たに識別番号が前記識別情報記憶手段に格納された場合に、前記新たに格納された電話番号と識別番号とを、前記識別情報記憶手段に記憶される電話機に通知する識別番号通知手段と、
前記電話機は、
前記識別番号通知手段により通知された前記電話番号と前記識別番号とを対応付けて記憶する電話情報記憶手段と、
前記管理装置に前記識別番号登録要求を送信して、前記管理装置から生成された前記識別番号を受信し、受信した識別番号を記憶する識別番号記憶手段と、
前記電話情報記憶手段に記憶される他の電話機に対して通話接続要求を送信する場合に、前記識別番号記憶手段に記憶される前記識別番号を前記通話接続要求に付して送信する通話接続要求送信手段と、
前記他の電話機から前記通話接続要求を受信すると、前記通話接続要求から前記他の電話機に割り当てられた電話番号と識別番号を取得し、前記電話番号と識別番号の組み合わせが、前記電話情報記憶手段に記憶されているか否かを判定し、記憶されていると判定された場合に、前記通話接続要求を許可し、記憶されていないと判定された場合に、前記通話接続要求を拒否するように前記他の電話機との接続を制御する接続制御手段と、
を備えたことを特徴とする通信システム。
【０１２０】
（付記２）前記識別情報記憶手段は、前記電話機の所有者を特定するために一意に割り当てられた個人ＩＤに対応付けて前記電話番号と前記識別番号とを記憶し、
前記識別番号生成手段は、前記電話機から前記識別番号登録要求と前記識別番号を通知する先を示す前記個人ＩＤとを受信した場合に、当該要求を送信した電話機の電話番号に対して前記識別番号と当該電話機の所有者を特定するための個人ＩＤとを生成して、当該個人ＩＤに対応付けて前記電話番号と前記識別番号とを前記識別情報記憶手段に格納するとともに、当該要求を送信した電話機に前記識別番号を通知し、
前記識別番号通知手段は、前記識別情報記憶手段に新たに記憶された電話番号と識別番号とを、受信した前記通知先を示す個人ＩＤに対応する電話機に対して通知し、
前記識別番号記憶手段は、前記識別番号登録要求とともに、前記通知先を示す個人ＩＤを送信することを特徴とする付記１に記載の通信システム。
【０１２１】
（付記３）前記識別情報記憶手段は、あらかじめ定めたグループＩＤに対応付けて前記電話番号と前記識別番号とを記憶し、
前記識別番号生成手段は、前記電話機から前記識別番号登録要求と属するグループを希望するグループＩＤとを受信した場合に、当該要求を送信した電話機の電話番号に対して前記識別番号を生成して、前記グループＩＤに対応付けて前記電話番号と前記識別番号とを前記識別情報記憶手段に格納するとともに、当該要求を送信した電話機に前記識別番号を通知し、
前記識別番号通知手段は、前記受信したグループＩＤに属する電話機に対して、前記新たに格納された電話番号と識別番号とを通知し、
前記識別番号記憶手段は、前記識別番号登録要求とともに、前記グループＩＤを送信することを特徴とする付記１に記載の通信システム。
【０１２２】
（付記４）前記識別番号生成手段は、前記識別番号登録要求を受信した場合に、前記識別番号登録要求を送信した電話機が正当な利用者であることを条件に、当該要求を送信した電話機の電話番号に対して前記識別番号を生成して、前記電話番号に対応付けて前記識別情報記憶手段に格納するとともに、当該要求を送信した電話機に前記識別番号を通知することを特徴とする付記１〜３のいずれか一つに記載の通信システム。
【０１２３】
（付記５）複数の電話機と前記複数の電話機それぞれに接続される管理装置とから構成される通信方法であって、
前記管理装置は、
前記複数の電話機それぞれに一意に割り振られた電話番号に対応付けて、前記電話番号に一意に割り振られた識別番号を記憶する識別情報記憶手段と、
前記電話機から前記識別番号の生成を要求する識別番号登録要求を受信した場合に、当該要求を送信した電話機の電話番号に対して前記識別番号を生成して、前記電話番号に対応付けて前記識別情報記憶手段に格納するとともに、当該要求を送信した電話機に前記識別番号を通知する識別番号生成工程と、
前記識別番号生成工程により新たに識別番号が前記識別情報記憶手段に格納された場合に、前記新たに格納された電話番号と識別番号とを、前記識別情報記憶手段に記憶される電話機に通知する識別番号通知工程と、
前記電話機は、
前記識別番号通知工程により通知された前記電話番号と前記識別番号とを対応付けて記憶する電話情報記憶手段と、
前記管理装置に前記識別番号登録要求を送信して、前記管理装置から生成された前記識別番号を受信し、受信した識別番号を記憶する識別番号記憶手段と、
前記電話情報記憶手段に記憶される他の電話機に対して通話接続要求を送信する場合に、前記識別番号記憶手段に記憶される前記識別番号を前記通話接続要求に付して送信する通話接続要求送信工程と、
前記他の電話機から前記通話接続要求を受信すると、前記通話接続要求から前記他の電話機に割り当てられた電話番号と識別番号を取得し、前記電話番号と識別番号の組み合わせが、前記電話情報記憶手段に記憶されているか否かを判定し、記憶されていると判定された場合に、前記通話接続要求を許可し、記憶されていないと判定された場合に、前記通話接続要求を拒否するように前記他の電話機との接続を制御する接続制御工程と、
を含んだことを特徴とする通信方法。
【０１２４】
（付記６）前記識別情報記憶手段は、前記電話機の所有者を特定するために一意に割り当てられた個人ＩＤに対応付けて前記電話番号と前記識別番号とを記憶し、
前記識別番号生成工程は、前記電話機から前記識別番号登録要求と前記識別番号を通知する先を示す前記個人ＩＤとを受信した場合に、当該要求を送信した電話機の電話番号に対して前記識別番号と当該電話機の所有者を特定するための個人ＩＤとを生成して、当該個人ＩＤに対応付けて前記電話番号と前記識別番号とを前記識別情報記憶手段に格納するとともに、当該要求を送信した電話機に前記識別番号を通知し、
前記識別番号通知工程は、前記識別情報記憶手段に新たに記憶された電話番号と識別番号とを、受信した前記通知先を示す個人ＩＤに対応する電話機に対して通知し、
前記識別番号記憶手段は、前記識別番号登録要求とともに、前記通知先を示す個人ＩＤを送信することを特徴とする付記５に記載の通信方法。
【０１２５】
（付記７）前記識別情報記憶手段は、あらかじめ定めたグループＩＤに対応付けて前記電話番号と前記識別番号とを記憶し、
前記識別番号生成工程は、前記電話機から前記識別番号登録要求と属するグループを希望するグループＩＤとを受信した場合に、当該要求を送信した電話機の電話番号に対して前記識別番号を生成して、前記グループＩＤに対応付けて前記電話番号と前記識別番号とを前記識別情報記憶手段に格納するとともに、当該要求を送信した電話機に前記識別番号を通知し、
前記識別番号通知工程は、前記受信したグループＩＤに属する電話機に対して、前記新たに格納された電話番号と識別番号とを通知し、
前記識別番号記憶手段は、前記識別番号登録要求とともに、前記グループＩＤを送信することを特徴とする付記５に記載の通信方法。
【０１２６】
（付記８）前記識別番号生成工程は、前記識別番号登録要求を受信した場合に、前記識別番号登録要求を送信した電話機が正当な利用者であることを条件に、当該要求を送信した電話機の電話番号に対して前記識別番号を生成して、前記電話番号に対応付けて前記識別情報記憶手段に格納するとともに、当該要求を送信した電話機に前記識別番号を通知することを特徴とする付記５〜７のいずれか一つに記載の通信方法。
【０１２７】
（付記９）複数の電話機と前記複数の電話機それぞれに接続される管理装置とから構成される通信システムにおける前記管理装置であって、
前記複数の電話機それぞれに一意に割り振られた電話番号に対応付けて、前記電話番号に一意に割り振られた識別番号を記憶する識別情報記憶手段と、
前記電話機から前記識別番号の生成を要求する識別番号登録要求を受信した場合に、当該要求を送信した電話機の電話番号に対して前記識別番号を生成して、前記電話番号に対応付けて前記識別情報記憶手段に格納するとともに、当該要求を送信した電話機に前記識別番号を通知する識別番号生成手段と、
前記識別番号生成手段により新たに識別番号が前記識別情報記憶手段に格納された場合に、前記新たに格納された電話番号と識別番号とを、前記識別情報記憶手段に記憶される電話機に通知する識別番号通知手段と、
を備えたことを特徴とする管理装置。
【０１２８】
（付記１０）複数の電話装置と前記複数の電話装置それぞれに接続される管理装置とから構成される通信システムにおける前記電話装置であって、
前記識別番号通知手段により通知された前記電話番号と前記識別番号とを対応付けて記憶する電話情報記憶手段と、
前記管理装置に前記識別番号登録要求を送信して、前記管理装置から生成された前記識別番号を受信し、受信した識別番号を記憶する識別番号記憶手段と、
前記電話情報記憶手段に記憶される他の電話機に対して通話接続要求を送信する場合に、前記識別番号記憶手段に記憶される前記識別番号を前記通話接続要求に付して送信する通話接続要求送信手段と、
前記他の電話機から前記通話接続要求を受信すると、前記通話接続要求から前記他の電話機に割り当てられた電話番号と識別番号を取得し、前記電話番号と識別番号の組み合わせが、前記電話情報記憶手段に記憶されているか否かを判定し、記憶されていると判定された場合に、前記通話接続要求を許可し、記憶されていないと判定された場合に、前記通話接続要求を拒否するように前記他の電話機との接続を制御する接続制御手段と、
を備えたことを特徴とする電話装置。
【産業上の利用可能性】
【０１２９】
以上のように、本発明に係る通信システム、管理装置および電話装置は、複数の電話機と複数の電話機それぞれに接続される管理装置とから構成され、電話機同士を接続することに有用であり、特に利用者の負担を軽減するとともに、正確に着信制御を行うことに適する。
【図面の簡単な説明】
【０１３０】
【図１】実施例１に係る通信システムの概要と特徴を説明するための図である。
【図２】実施例１に係る通信システムの概要と特徴を説明するための図である。
【図３】実施例１に係る通信システムの構成を示すブロック図である。
【図４】管理装置における識別情報ＤＢに記憶される情報の例を示す図である。
【図５】管理装置における通知先ＤＢに記憶される情報の例を示す図である。
【図６】携帯電話（Ｘ）における電話情報ＤＢに記憶される情報の例を示す図である。
【図７】携帯電話（Ｘ）における電話情報ＤＢに記憶される情報の例を示す図である。
【図８】携帯電話（Ｘ）における識別番号ＤＢに記憶される情報の例を示す図である。
【図９】実施例１に係る通信システムにおける識別番号格納処理の流れを示すシーケンス図である。
【図１０】実施例１に係る通信システムにおける発信処理の流れを示すフローチャートである。
【図１１】実施例１に係る通信システムにおける通話接続処理の流れを示すフローチャートである。
【図１２】実施例２に係る通信システムにおける管理装置の識別情報ＤＢに記憶される情報の例を示す図である。
【図１３】実施例２に係る通信システムにおける管理装置の通知先ＤＢに記憶される情報の例を示す図である。
【図１４】実施例２に係る通信システムにおける識別番号格納処理の流れを示すシーケンス図である。
【図１５】実施例３に係る通信システムにおける管理装置の識別情報ＤＢに記憶される情報の例を示す図である。
【図１６】実施例３に係る通信システムにおける管理装置の通知先ＤＢに記憶される情報の例を示す図である。
【図１７】実施例３に係る通信システムにおける識別番号格納処理の流れを示すシーケンス図である。
【図１８】通信制御プログラムを実行するコンピュータシステムの例を示す図である。
【図１９】通信制御プログラムを実行するコンピュータシステムの例を示す図である。
【符号の説明】
【０１３１】
１０  管理装置
１１  通信制御Ｉ／Ｆ部
１２  記憶部
１３  識別情報ＤＢ
１４  通知先ＤＢ
１５  制御部
１６  識別番号生成部
１７  識別番号通知部
２０  携帯電話（Ｘ）
２１  通信部
２２  記憶部
２３  電話情報ＤＢ
２４  識別番号ＤＢ
２５  制御部
２６  通話接続要求送信部
２７  接続制御部
３０  携帯電話（Ａ）
４０  携帯電話（Ｂ）
５０  携帯電話（Ｃ）
１８０  コンピュータシステム
１８１  ＲＡＭ
１８２  ＨＤＤ
１８２ａ  識別情報テーブル
１８２ｂ  通知先テーブル
１８３  ＲＯＭ
１８３ａ  識別番号生成プログラム
１８３ｂ  識別番号通知プログラム
１８４  ＣＰＵ
１８４ａ  識別番号生成プロセス
１８４ｂ  識別番号通知プロセス
１９０  コンピュータシステム
１９１  ＲＡＭ
１９２  ＨＤＤ
１９２ａ  電話情報テーブル
１９２ｂ  識別番号テーブル
１９３  ＲＯＭ
１９３ａ  通話接続要求送信プログラム
１９３ｂ  接続制御プログラム
１９４  ＣＰＵ
１９４ａ  通話接続要求送信プロセス
１９４ｂ  接続制御プロセス
【図１】
2008141419.tif 000003
【図２】
2008141419.tif 000004
【図３】
2008141419.tif 000005
【図４】
2008141419.tif 000006
【図５】
2008141419.tif 000007
【図６】
2008141419.tif 000008
【図７】
2008141419.tif 000009
【図８】
2008141419.tif 000010
【図９】
2008141419.tif 000011
【図１０】
2008141419.tif 000012
【図１１】
2008141419.tif 000013
【図１２】
2008141419.tif 000014
【図１３】
2008141419.tif 000015
【図１４】
2008141419.tif 000016
【図１５】
2008141419.tif 000017
【図１６】
2008141419.tif 000018
【図１７】
2008141419.tif 000019
【図１８】
2008141419.tif 000020
【図１９】
2008141419.tif 000021